(57)【要約】      （修正有）【課題】通路を歩行する歩行者が心理的な抵抗なく把持することができる施設利用什器を提供する。【解決手段】天板付き什器１０は、施設内の段床１に設置される脚部材１１等の支持構造体と、支持構造体に支持され、利用者が個別に使用する天板１２等の什器本体部と、を備える。支持構造体の施設内の階段通路２に臨む領域に、階段通路２側から把持可能な把持部材１６を設ける。【選択図】図４
2015229080.tif 000002
【特許請求の範囲】
【請求項１】
施設内の通路に沿って前後に複数配列される施設利用什器において、
施設内のフロア部に設置される支持構造体と、
前記支持構造体に支持され、利用者が個別に使用する什器本体部と、を備え、
前記支持構造体の前記通路に臨む領域に、前記通路側から把持可能な把持部材が設けられていることを特徴とする施設利用什器。
【請求項２】
前記支持構造体は、前記通路に臨むように前記フロア部に立設された脚部を有し、前記把持部材は前記脚部に一体に設けられていることを特徴とする請求項１に記載の施設利用什器。
【請求項３】
前記什器本体部は、上方に向く作業面を有する天板を備え、
前記把持部材は、前記天板の前記通路に臨む側の端部よりも、前記通路側に突出するように前記支持構造体に設けられていることを特徴とする請求項１または２に記載の施設利用什器。
【請求項４】
前記什器本体部は、前記天板の前部を覆う幕板を備え、
前記幕板は、前記天板の前部下方を覆う下方遮蔽領域と、当該下方遮蔽領域よりも上方側で前記天板の前部と前部上方とを覆う上方遮蔽領域と、を有し、
前記上方遮蔽領域の前記通路側の端部は、前記天板よりも前記通路側に突出して配置され、
前記下方遮蔽領域の前記通路側の端部は、前記天板の前記通路側の端部よりも前記通路と逆側に位置して配置され、
前記把持部材は、前記支持構造体上の、前記下方遮蔽領域に対応する高さ位置に設置されていることを特徴とする請求項３に記載の施設利用什器。
【請求項５】
前記什器本体部の前部には、前部側の施設利用什器の椅子の背凭れが支持され、
前記把持部材は、前記背凭れの前記通路側の端部よりも前記通路側に突出するように前記支持構造体に設けられていることを特徴とする請求項３または４に記載の施設利用什器。
【請求項６】
前記什器本体部は、利用者が着座する座を備え、
前記把持部材は、前記座の前記通路に臨む側の端部よりも、前記通路側に突出するように前記支持構造体に設けられていることを特徴とする請求項１または２に記載の施設利用什器。
【発明の詳細な説明】
【技術分野】
【０００１】
この発明は、教室や講演会場、競技場等の施設内で用いられる施設利用什器に関するものである。
【背景技術】
【０００２】
教室や講演会場、競技場等の施設においては、脚部材に支持された天板を備えた長テーブル等の天板付き什器と、その天板付き什器を利用する作業者が着座する椅子とが組となった什器が使用される（例えば、特許文献１，２参照）。
【０００３】
特許文献１に記載の施設利用什器は、組を成す天板付き什器と椅子が施設内のフロア部に前後方向に複数配列されるものであり、天板付き什器と椅子はそれぞれ個別にフロア上に設置されている。
【０００４】
一方、特許文献２に記載の施設利用什器は、天板付き什器の前面に前部側の椅子が傾動可能に取り付けられ、この天板付き什器と椅子が一体化されたユニットが施設内のフロア部に前後方向に複数配列されている。
【０００５】
これらの施設内什器は、天板付き什器と椅子が前後方向に規則正しく複数配列されるため、施設内に多人数の利用者を効率良く収容することができる。
【先行技術文献】
【特許文献】
【０００６】
【特許文献１】特許第５０９００９０号公報
【特許文献２】特許第５３７８６８９号公報
【発明の概要】
【発明が解決しようとする課題】
【０００７】
ところで、この種の施設内什器は、施設内の前後方向に沿う通路に隣接して設けられることがあり、その場合には、例えば、足腰の不自由な歩行者等が自由に把持できる把持部を備えていることが望まれる。
【０００８】
しかし、施設内什器の天板や座等の什器本体部は、利用者各自が腕を載せ置いたり、直接着座する部分であるため、その部分に把持部材が設けられていても、通路を歩行する歩行者は把持するのに抵抗を感じる。このため、把持部材が有効活用されないことが懸念される。
【０００９】
そこでこの発明は、通路を歩行する歩行者が心理的な抵抗なく把持することができる施設利用什器を提供しようとするものである。
【課題を解決するための手段】
【００１０】
この発明に係る施設利用什器は、上記課題を解決するために、施設内の通路に沿って前後に複数配列される施設利用什器において、施設内のフロア部に設置される支持構造体と、前記支持構造体に支持され、利用者が個別に使用する什器本体部と、を備え、前記支持構造体の前記通路に臨む領域に、前記通路側から把持可能な把持部材が設けられるようにした。
【００１１】
これにより、通路側で把持部材を把持しようとする歩行者は、什器本体部を使用している利用者がいる場合でも、その利用者が直接使用している領域から離間した部分において把持部材を把持することができる。
【００１２】
前記支持構造体は、前記通路に臨むように前記フロア部に立設された脚部を有し、前記把持部材は前記脚部に一体に設けられるようにしても良い。
【００１３】
この場合、フロア部に立設された脚部に把持部材が支持されるため、把持部材の支持剛性を高め、歩行者が安定的に体を支えられるようにすることができる。
【００１４】
前記什器本体部は、上方に向く作業面を有する天板を備え、前記把持部材は、前記天板の前記通路に臨む側の端部よりも、前記通路側に突出するように前記支持構造体に設けられるようにしても良い。
【００１５】
この場合、利用者が腕を載せ置く天板上から通路側に離間した部位に把持部材が配置されるため、利用者が天板上に腕を載せ置いている場合にも、通路を歩行する歩行者が心理的な抵抗なく把持部材を把持することができる。
【００１６】
前記什器本体部は、前記天板の前部を覆う幕板を備え、前記幕板は、前記天板の前部下方を覆う下方遮蔽領域と、当該下方遮蔽領域よりも上方側で前記天板の前部と前部上方とを覆う上方遮蔽領域と、を有し、前記上方遮蔽領域の前記通路側の端部は、前記天板よりも前記通路側に突出して配置され、前記下方遮蔽領域の前記通路側の端部は、前記天板の前記通路側の端部よりも前記通路と逆側に位置して配置され、前記把持部材は、前記支持構造体上の、前記下方遮蔽領域に対応する高さ位置に設置されるようにしても良い。
【００１７】
この場合、天板の上下領域が幕板によって前方側から遮蔽されるため、通路を歩行する歩行者が前方側から把持部材を把持する場合の心理的な抵抗を低減することができる。特に、天板の前部と前部上方とを覆う上方遮蔽領域の通路側の端部が天板よりも通路側に突出して配置されているため、通路側から把持部材を把持しようとする歩行者から天板上やその天板の利用者が見えにくくなり、把持部を把持する歩行者の心理的な抵抗がより少なくなる。
また、天板の前部下方を覆う下方遮蔽領域の通路側の端部が、天板の通路側の端部よりも前記通路と逆側に位置し、把持部材が支持構造体上の下方遮蔽領域に対応する高さ位置に設置されていることから、通路を歩行する歩行者が把持部材を把持する際に幕板がその把持の支障になることもない。さらに、下方遮蔽領域の通路側の端部が、天板の通路側の端部よりも通路と逆側に位置して配置されていることから、天板の利用者によって幕板の通路側の端部が蹴られにくくなり、幕板自体が破損したり外れたりする危険性が小さくなる。
【００１８】
前記什器本体部の前部には、前部側の施設利用什器の椅子の背凭れが支持され、前記把持部材は、前記背凭れの前記通路側の端部よりも前記通路側に突出するように前記支持構造体に設けられるようにしても良い。
【００１９】
この場合、利用者が直接背中を凭れる背凭れから通路側に離間した部位に把持部材が配置されるため、前部側の椅子に利用者が着座している場合にも、通路を歩行する歩行者が心理的な抵抗なく把持部材を把持することができる。
【００２０】
前記什器本体部は、利用者が着座する座を備え、前記把持部材は、前記座の前記通路に臨む側の端部よりも、前記通路側に突出するように前記支持構造体に設けられるようにしても良い。
【００２１】
この場合、利用者が着座する座から通路側に離間した部位に把持部材が配置されるため、利用者が座に着座している場合にも、通路を歩行する歩行者が心理的な抵抗なく把持部材を把持することができる。
【発明の効果】
【００２２】
この発明によれば、什器本体部を使用している利用者がいる場合にも、通路を歩行する歩行者が、その利用者が直接使用している領域から離間した部分で把持部材を把持することができるため、把持部材を把持する歩行者の心理的な抵抗を軽減することができる。
【図面の簡単な説明】
【００２３】
【図１】この発明の一実施形態の施設利用什器を設置した施設内の側面図である。
【図２】この発明の一実施形態の施設利用什器を設置した施設内の上面図である。
【図３】この発明の一実施形態の施設利用什器を設置した施設内の正面図である。
【図４】この発明の一実施形態の施設利用什器を設置した施設内の斜視図である。
【図５】この発明の一実施形態の施設利用什器の正面図である。
【図６】この発明の一実施形態の施設利用什器の上面図である。
【図７】この発明の他の実施形態の施設利用什器の側面図である。
【図８】この発明の他の実施形態の施設利用什器の上面図である。
【発明を実施するための形態】
【００２４】
以下、この発明の一実施形態を図１〜図６に基づいて説明する。
この実施形態に係る施設利用什器は、利用者二人が左右に並んで使用可能な天板付き什器１０によって構成されている。天板付き什器１０の後方側には、利用者が着座するための二つの椅子２０，２０が設置されている。
この実施形態の場合、天板付き什器１０と、その後方側に設置される二つの椅子２０，２０が組を成し、これらの組が競技場の階段状のフロア部である段床１に、前後と左右に並んで複数設置されている。競技場の段床１は、観戦方向に向かって次第に低位となるように形成されており、天板付き什器１０…は、その段床１の傾斜に沿って前後方向に直線的に並んで設置されている。前後に並ぶ各天板付き什器１０は、段床１の高さの異なる各段に設置されている。
【００２５】
こうして直線的に前後に並んだ天板付き什器１０…の列の左右両側には、施設内の階段通路２が配置されている。施設内には、段床１の傾斜に沿う階段通路２が複数略平行に設けられている。
なお、以下においては、特別に断らない限り、施設内の競技観戦方向を「前」と呼び、その反対側を「後」と呼ぶものとする。図中矢印ＦＲは、施設内の前方を指すものとする。
【００２６】
天板付き什器１０は、段床１の水平面１ａに固定設置される脚部材１１（脚部）と、脚部材１１の上端部に略水平に取り付けられる天板１２と、脚部材１１と天板１２に取り付けられて天板１２の前部を前方側から遮蔽する幕板１３と、を備えている。各天板付き什器１０の天板１２の後方側（競技観戦方向に向かっての後方側）には、天板１２を使用する利用者の進入スペースが確保され、その進入スペースに天板付き什器１０と組を成す椅子２０，２０が設置されている。
【００２７】
天板１２は、幅方向に横長に形成され、幅方向の中心線Ｃを挟んだ左右に二つの作業領域ＷＬ，ＷＲが設けられている。各作業領域ＷＬ，ＷＲの前端面１４と後端縁１５は、それぞれ隣接する階段通路２に向かって設定角度（例えば、５°程度）後方側に傾斜している。具体的には、左側の作業領域ＷＬの前端面１４と後端縁１５とは、左側に位置される階段通路２に向かって設定角度後方側に傾斜しており、右側の作業領域ＷＲの前端縁１４と後端縁１５とは、右側に位置される階段通路２に向かって設定角度後方側に傾斜している。
【００２８】
また、天板１２の階段通路２に臨む側端部１９（側部側の端面）は、階段通路２の延出方向と略平行に形成されている。つまり、天板１２の各側端部１９は、端面が階段通路２に沿うように形成されている。
【００２９】
幕板１３は、板厚方向が略前後方向を向くようにして、脚部材１１と天板１２の前端縁１４とに跨って取り付けられている。幕板１３は、幅方向の中心線Ｃの位置を前側に凸の稜線として左右両側が後方側に設定角度傾斜している。幕板１３のこの傾斜角度は、天板１２の左右の作業領域ＷＬ，ＷＲの前端縁１４の傾斜角度と合致する角度に設定されている。
【００３０】
また、幕板１３は、図３〜図５に示すように、天板１２の前部下方を覆う下方遮蔽領域１３ａと、天板１２の前面と天板１２の前部上方側を覆う上方遮蔽領域１３ｂとを備えている。下方遮蔽領域１３ａの幅方向の寸法は、脚部材１１の幅方向の寸法とほぼ同寸法に設定され、上方遮蔽領域１３ｂの幅方向の寸法は、天板１２の幅方向の寸法よりも若干長い寸法に設定されている。天板１２の幅方向の寸法は、脚部材１１の幅方向の寸法よりも長く設定されている。
【００３１】
図５に示すように、上方遮蔽領域１３ｂの隣接する階段通路２側の端部は、天板１２の隣接する階段通路２側の端部よりも階段通路２側に所定寸法ｂだけ突出して配置され、下方遮蔽領域１３ａと脚部材１１の階段通路２側の端部は、天板１２の隣接する階段通路２側の端部よりも階段通路２と逆側に所定寸法ｃだけ窪んで配置されている。したがって、幕板１３の上方遮蔽領域１３ｂの側端部は、下方遮蔽領域１３ａの側端部に対して隣接する階段通路２側に段差状に膨出している。
【００３２】
脚部材１１の階段通路２に臨む側面のうちの、幕板１３の下方遮蔽領域１３ａの上部に対応する高さ位置には、階段通路２を昇降する歩行者が把持可能な把持部材１６が取り付けられている。把持部材１６は、歩行者が把持する把持部１６ａが、少なくとも天板１２の隣接する階段通路２側の端部よりも、階段通路２側に突出するように脚部材１１の側面に取り付けられている。
【００３３】
幕板１３の上方遮蔽領域１３ｂの前面には、前方の椅子２０に着座した利用者の頭部を保護するための頭部保護部材１７が取り付けられている。頭部保護部材１７は、横長の略長方体状のブロックによって形成されている。頭部保護部材１７は、弾性を有し、例えば、スポンジゴム等の弾性を有するブロック状の素材が表皮材に覆われて構成されている。頭部保護部材１７の設置高さは、前方の椅子２０に着座した一般的な利用者の頭部の高さとほぼ同高さに設定されている。頭部保護部材１７の前方側への突出高さは、前方の椅子２０に着座した利用者が後部に反り返って利用者の後頭部が当接したときに、その利用者の頭部が天板１２の上側の角部に接触するのを回避し得る高さに設定されている。
【００３４】
ところで、天板付き什器１０と組みを成す二つの椅子２０，２０は、その天板付き什器１０の設置される段床１の段よりも一段上の段の前部垂立面１ｂに支持されている。そして、後方側の組の天板付き什器１０と、前方側の組の二つの椅子２０，２０とは、後方側の天板付き什器１０が階段状の段床１の高位部に設置されるとともに、前方側の椅子２０，２０が段床１の高位部よりも低い低位部に設置されている。
【００３５】
一方、各椅子２０は、基端が段床１の前部垂立面１ｂに固定設置されて、その基端から前部上方側に向かって延出する一対の支持アーム２１，２１と、後縁部が一対の支持アーム２１，２１に跳ね上げ回動可能に軸支される座２２と、下端の幅方向の両側部が一対の支持アーム２１，２１に支持される背凭れ２３と、を備えている。なお、背凭れ２３の上端部は、幅方向の中央位置において、後方側の天板付き什器１０の幕板１３の前面に図示しない係止手段によって係止固定されている。背凭れ２３の上端部の係止位置は、幕板１３の前面の頭部保護部材１７の直下位置に設定されている。
【００３６】
座２２は、図４に示すように、左右の支持アーム２１，２１に保持された回動軸２４に軸支されている。各回動軸２４は、前方の天板付き什器１０の天板１２の作業領域ＷＬまたはＷＲの後端縁１５と平行になるように、つまり、隣接する階段通路２に向かって後方側に傾斜するように設置されている。そして、各回動軸２４に軸支される座２２は、幅方向が隣接する階段通路２に向かって後方側に傾斜している。また、下端が左右の支持アーム２１，２１に固定される背凭れ２３も、座２２と同様に幅方向が隣接する階段通路２に向かって後方側に傾斜している。
なお、天板付き什器１０の脚部材１１の側面に取り付けられる把持部材１６（把持部１６ａ）は、図６に示すように、背凭れ２３の隣接する階段通路２側の端部よりも階段通路２側に突出している。
【００３７】
以上のように階段通路２の両側に設置された天板付き什器１０と椅子２０，２０の組は以下のようにして使用される。
各天板付き什器１０の天板１２を使用する利用者は、階段通路２から使用する天板１２の作業領域ＷＬ，ＷＲの後方側に進入し、その作業領域ＷＬ，ＷＲの後方側の対応する椅子２０に着座する。
【００３８】
このとき、天板１２の作業領域ＷＬ，ＷＲの後端縁１５は、隣接する階段通路２に向かって後方側に傾斜し、対応する椅子２０，２０も、幅方向が同様に隣接する階段通路２に向かって後方側に傾斜している。このため、椅子２０に着座して天板１２上の作業領域ＷＬ，ＷＲに向かった利用者は、体全体が隣接する階段通路２の前方側に斜め向くことになる。したがって、一つの天板付き什器１０の天板１２を共用する左右の利用者は、両者の視線の向く方向が相反方向にずれ、隣接する利用者の存在を気にせずに作業領域ＷＬ，ＷＲに向かって快適に作業を行うことができる。
【００３９】
一方、階段通路２を昇降する歩行者が体を支える場合には、いずれかの天板付き什器１０の脚部材１１に取り付けられた把持部材１６を歩行者が把持することができる。
【００４０】
この実施形態に係る天板付き什器１０の場合、階段通路２を昇降する歩行者が把持できる把持部材１６が、什器本体部である天板１２ではなく、天板１２を支持する支持構造体である脚部材１１の階段通路２に臨む領域に設けられているため、天板１２を使用している利用者がいる場合であっても、歩行者は、その利用者が直接使用している領域から離間した部位において、把持部材１６を把持して体を支えることができる。したがって、この実施形態に係る天板付き什器１０においては、把持部材１６を把持する歩行者の心理的な抵抗を軽減することができる。
【００４１】
また、この実施形態に係る天板付き什器１０においては、歩行者によって把持される把持部材１６が、フロア部である段床１に立設された脚部材１１に一体に取り付けられているため、把持部材１６の支持剛性を充分に高めることができる。このため、把持部材１６に手を掛けた歩行者が体重をかけても、歩行者の体を天板付き什器１０によって安定して支えることができる。
【００４２】
さらに、この実施形態の天板付き什器１０は、把持部材１６が、天板１２の階段通路２に臨む側の端部よりも、階段通路２側に突出するように脚部材１１に取り付けられているため、利用者が腕を載せ置く天板１２から階段通路２側に離間した部位に把持部材１６が配置されることになる。したがって、利用者が天板１２に腕を載せ置いて天板１２を使用している場合であっても、階段通路２を昇降する歩行者は心理的な抵抗なく把持部材１６を把持することができる。
【００４３】
また、この実施形態に係る天板付き什器１０は、天板１２の前部を覆う幕板１３を備えているため、階段通路２を昇る歩行者から天板１２を利用する利用者が幕板１３によって隠されることになる。このため、階段通路２を昇る歩行者が把持部材１６を把持するときの心理的な抵抗を軽減することができる。
【００４４】
特に、この実施形態に係る天板付き什器１０の場合、幕板１３の上方遮蔽領域１３ｂの階段通路２側の端部が天板１２よりも階段通路２側に突出して配置されているため、階段通路２側から把持部材１６を把持しようとする歩行者から天板１２やそれを使用する利用者が見えにくくなる。したがって、把持部材１６を把持する歩行者の心理的な抵抗がより少なくなる。
【００４５】
また、この実施形態の場合、幕板１３の下方遮蔽領域１３ａの階段通路２側の端部が、天板１２の階段通路２側の端部よりも内側（階段通路２と逆側）に位置され、把持部材１６が脚部材１１の下方遮蔽領域１３ａの上部に対応する高さ位置に配置されている。このため、階段通路２を昇降する歩行者が把持部材１６を把持する際に、幕板１３がその把持の支障になることがない。
さらに、この実施形態の場合、幕板１３下方遮蔽領域１３ａの通路側の端部が、天板１２の通路側の端部よりも階段通路２から離間する側に配置されているため、天板１２の利用者によって幕板１２の階段通路２側の端部が蹴られにくくなる。したがって、幕板１３の階段通路２側に張り出した端部が利用者によって蹴られることにより、幕板１３自体が破損したり外れたりする危険性が小さくなる。
【００４６】
さらに、この実施形態に係る天板付き什器１０の場合、幕板１３の前面に前席の椅子２０の背凭れ２３の上端部が取り付けられているが、天板付き什器１０の脚部材１１に取り付けられる把持部材１６は、前席の背凭れ２３の階段通路２側の端部よりも階段通路２側に位置されている。したがって、前席の椅子２０に利用者が着座して、その利用者が背凭れ２３に凭れている場合にも、階段通路２を昇降する歩行者が心理的な抵抗なく把持部材１６を把持することができる。
【００４７】
図７，図８は、他の実施形態に係る施設利用什器の側面図と上面図である。
この他の実施形態は、施設内の通路に沿って前後に複数配列される椅子２０が施設利用什器を構成している。この椅子２０は、例えば、上記の実施形態と同様に、施設内のフロア部である段床１に天板付き什器１０の前後に設置することができる。なお、この他の実施形態においては、上記の実施形態と同一部分に同一符号を付して重複する説明を省略するものとする。
【００４８】
この他の実施形態の椅子２０は、上記の実施形態と同様に、基端が段床１の前部垂立面１ｂに固定設置されて、その基端から前部上方側に向かって延出する一対の支持アーム２１，２１（脚部）と、後縁部が一対の支持アーム２１，２１に跳ね上げ回動可能に軸支される座２２と、下端の幅方向の両側部が一対の支持アーム２１，２１に支持される背凭れ２３と、を備えている。この他の実施形態においては、一対の支持アーム２１，２１が支持構造体を構成している。
【００４９】
そして、一対の支持アーム２１，２１のうちの階段通路２に隣接する側の支持アーム２１の階段通路２に臨む側の面には、階段通路２から把持可能な把持部材１６が取り付けられている。この把持部材１６は、上記の実施形態のものとほぼ同様の構造であり、歩行者が把持可能な把持部１６ａを有している。把持部材１６は、図８に示すように、把持部１６ａが椅子２０の座２２の階段通路２に臨む側の端部よりも、設定寸法ｅだけ階段通路２側に突出するように支持アーム２１に取り付けられている。
【００５０】
この実施形態の場合、階段通路２を昇降する歩行者が体を支える場合には、椅子２０の支持アーム２１に取り付けられた把持部材１６を、歩行者が把持することができる。
【００５１】
この実施形態に係る椅子２０においては、階段通路２を昇降する歩行者が把持できる把持部材１６が什器本体部である座２２ではなく、座２２を支持する支持構造体である支持アーム２１の階段通路２に臨む領域に設けられているため、椅子２０に着座している利用者がいる場合であっても、歩行者は、その利用者が着座している領域から離間した部位において、把持部材１６を把持して体を支えることができる。したがって、この実施形態の場合も、把持部材１６を把持する歩行者の心理的な抵抗を軽減することができる。
【００５２】
また、この実施形態の場合、歩行者によって把持される把持部材１６が、フロア部である段床１に固定される支持アーム２１に取り付けられているため、把持部材１６の支持剛性を充分に高めることができる。
【００５３】
さらに、この実施形態に係る椅子２０においては、利用者が着座する座２２から階段通路２側に離間した部位に把持部材１６が配置されるため、利用者が座２２に着座している場合にも、階段通路２を昇降する歩行者が心理的な抵抗なく把持部材１６を把持することができる。
【００５４】
なお、この発明は上記の実施形態に限定されるものではなく、その要旨を逸脱しない範囲で種々の設計変更が可能である。例えば、上記の実施形態の天板付き什器と椅子は、天板と幕板の前端面と、椅子の幅方向とが階段通路に向かって後方側に傾斜しているが、天板と幕板の前端面と、椅子の幅方向とは、傾斜せずに前方に正対する構造であっても良い。また、施設内の通路は階段通路に限らず、平坦な通路であっても良い。
【符号の説明】
【００５５】
２  階段通路（通路）
１０  天板付き什器（施設利用什器）
１１  脚部材（脚部，支持構造体）
１２  天板（什器本体部）
１３  幕板
１３ａ  下方遮蔽領域
１３ｂ  上方遮蔽領域
１６  把持部材
２２  座
２３  背凭れ
【図１】
2015229080.tif 000003
【図２】
2015229080.tif 000004
【図３】
2015229080.tif 000005
【図４】
2015229080.tif 000006
【図５】
2015229080.tif 000007
【図６】
2015229080.tif 000008
【図７】
2015229080.tif 000009
【図８】
2015229080.tif 000010